(57)【要約】【課題】ボビンに巻回される巻線の巻き始め端部および巻き終わり端部を所定の位置に保持できて、巻線のほどけを防止でき、組立作業性や結線作業性の向上を図る。【解決手段】ティースに装着されるボビンは、巻線巻回部に巻回される巻線の巻き始め端部を巻線巻回部より径方向の外側へ導出させる巻き始め端部導出部と、この巻き始め端部導出部から導出された巻線の巻き始め端部を固定子鉄心の軸方向に向けた状態で保持する巻き始め端部保持部と、巻線巻回部に巻回された巻線の巻き終わり端部を巻線巻回部より径方向の外側へ導出させる巻き終わり端部導出部と、この巻き終わり端部導出部から導出された巻線の巻き終わり端部を固定子鉄心の軸方向に向けた状態で保持する巻き終わり端部保持部と、を有する。【選択図】図２
2016072997.tif 000002
【特許請求の範囲】
【請求項１】
複数のティースを有する固定子鉄心と、
前記ティースに装着され巻線巻回部を有する複数のボビンと、
これらボビンの前記巻線巻回部に巻回される複数の巻線と、を備える回転電機の固定子において、
前記ボビンは、
前記巻線巻回部に巻回される前記巻線の巻き始め端部を前記巻線巻回部より径方向の外側へ導出させる巻き始め端部導出部と、
この巻き始め端部導出部から導出された前記巻線の巻き始め端部を前記固定子鉄心の軸方向に向けた状態で保持する巻き始め端部保持部と、
前記巻線巻回部に巻回された前記巻線の巻き終わり端部を前記巻線巻回部より径方向の外側へ導出させる巻き終わり端部導出部と、
この巻き終わり端部導出部から導出された前記巻線の巻き終わり端部を前記固定子鉄心の軸方向に向けた状態で保持する巻き終わり端部保持部と、を有することを特徴とする回転電機の固定子。
【請求項２】
前記巻き始め端部保持部および前記巻き終わり端部保持部は、前記固定子鉄心の軸方向から見て一端部に開口部を有する凹状をなしていて、それぞれの開口部側の端部に抜け止め用の凸部を有していることを特徴とする請求項１記載の回転電機の固定子。
【請求項３】
前記巻き始め端部導出部は前記巻線巻回部の底面近傍に位置し、前記巻き終わり端部導出部は前記巻線巻回部に巻回された前記巻線の最外周部近傍に位置していて、前記巻き始め端部導出部と前記巻き終わり端部導出部の位置は、前記巻線巻回部に巻回された巻線の巻き厚方向にずれていることを特徴とする請求項１または２記載の回転電機の固定子。
【請求項４】
前記巻線の巻き始め端部に接続される第１の接続部および前記巻線の巻き終わり端部に接続される第２の接続部を有する複数のバスリングと、これら複数のバスリングを保持するバスリングホルダを有してユニット化され、前記固定子鉄心の軸方向の一端部側に配置されるバスリングユニットを備え、
前記バスリングホルダと前記ボビンには、前記バスリングユニットを周方向に回転させることで当該バスリングユニットを前記固定子鉄心の軸方向の一端部に取り付ける取付手段を備えることを特徴とする請求項１から３のいずれか一項に記載の回転電機の固定子。
【請求項５】
前記取付手段は、
前記ボビンに設けられ周方向の一端部に開口部を有する弾性変形可能な係合部と、
前記バスリングホルダに設けられた係合凸部と、を備え、
前記係合凸部を前記係合部の前記開口部に臨ませた状態で前記バスリングユニットを周方向に回転させることで、前記係合凸部が前記開口部から前記係合部に侵入して係合することを特徴とする請求項４記載の回転電機の固定子。
【請求項６】
前記ボビンには、前記バスリングユニットを周方向に回転させる際に前記係合凸部の先端部の移動をガイドするガイド壁があることを特徴とする請求項５記載の回転電機の固定子。
【請求項７】
前記係合凸部にあって前記ガイド壁に沿って摺動する先端部は曲面に形成されていることを特徴とする請求項６記載の回転電機の固定子。
【請求項８】
前記係合部に対する前記係合凸部の係合完了位置で、前記バスリングユニットにおける前記第１の接続部が前記巻線の巻き始め端部に接続する接続位置に達するとともに、前記第２の接続部が前記巻線の巻き終わり端部に接続する接続位置に達することを特徴とする請求項５から７のいずれか一項に記載の回転電機の固定子。
【請求項９】
請求項１から８のいずれか一項に記載の固定子と、
この固定子の界磁空間に配置された回転子と、を備えたことを特徴とする回転電機。
【請求項１０】
請求項９に記載の回転電機と、
この回転電機が出力する駆動力により駆動可能な車輪と、を備えたことを特徴とする自動車。
【発明の詳細な説明】
【技術分野】
【０００１】
本発明の実施形態は、回転電機の固定子、回転電機、および自動車に関する。
【背景技術】
【０００２】
例えば電気自動車やハイブリッド自動車の駆動電動機として搭載される車両用の回転電機において、固定子鉄心の複数のティースに巻装される巻線は、電気絶縁材例えば合成樹脂製のボビンに巻回される。そして、各巻線の巻き始め端部および巻き終わり端部は、固定子鉄心の軸方向の一端部に配置されるバスリングの接続部に溶接などによって結線される。
【０００３】
しかしながら、従来では、巻線をボビンに巻回する際に、巻き始め端部の位置が不安定で巻回し難く、また、巻線の巻回終了後に巻き終わり端部の位置を固定することができないため、巻線の巻回状態を維持できず、自身のスプリングバックによりほどけてしまうことがある。この巻線のほどけは、固定子の組立作業や結線作業に悪影響を与える。
【先行技術文献】
【特許文献】
【０００４】
【特許文献１】特開２００８−３５６０３号公報
【発明の概要】
【発明が解決しようとする課題】
【０００５】
そこで、ボビンに巻回される巻線の巻き始め端部および巻き終わり端部を所定の位置に保持できて、巻線のほどけを防止でき、組立作業性や結線作業性の向上を図ることができる回転電機の固定子、回転電機、および自動車を提供する。
【課題を解決するための手段】
【０００６】
本実施形態の回転電機の固定子は、複数のティースを有する固定子鉄心と、ティースに装着され巻線巻回部を有する複数のボビンと、これらボビンの巻線巻回部に巻回される複数の巻線と、を備える。ボビンは、巻線巻回部に巻回される巻線の巻き始め端部を巻線巻回部より径方向の外側へ導出させる巻き始め端部導出部と、この巻き始め端部導出部から導出された巻線の巻き始め端部を固定子鉄心の軸方向に向けた状態で保持する巻き始め端部保持部と、巻線巻回部に巻回された巻線の巻き終わり端部を巻線巻回部より径方向の外側へ導出させる巻き終わり端部導出部と、この巻き終わり端部導出部から導出された巻線の巻き終わり端部を固定子鉄心の軸方向に向けた状態で保持する巻き終わり端部保持部と、を有する。
【図面の簡単な説明】
【０００７】
【図１】一実施形態を示すもので、分割コアのティースにボビンを介して巻線を巻回した状態での斜視図
【図２】巻線の巻き始め端部と巻き終わり端部付近を示す拡大斜視図
【図３】巻線の巻き始め端部と巻き終わり端部付近を示す図であり、（ａ）は分割コアの軸方向の一方側から見た平面図、（ｂ）は分割コアのヨーク部側から見た正面図、（ｃ）は分割コアのティースの先端部側から見た斜視図
【図４】図３（ａ）のＸ４−Ｘ４線に沿う断面図
【図５】図３（ａ）のＸ５−Ｘ５線に沿う断面図
【図６】固定子とバスリングユニットを分離した状態で示す全体の概略的な斜視図
【図７】固定子にバスリングユニットを装着する前の状態を部分的に示す斜視図
【図８】固定子にバスリングユニットを装着する際の途中状態を部分的に示す斜視図
【図９】固定子にバスリングユニットを装着した状態を部分的に示す斜視図
【図１０】電気自動車の構成を概略的に示す機能ブロック図
【発明を実施するための形態】
【０００８】
以下、電気自動車に用いられ、インバータにより駆動される駆動電動機に適用した一実施形態について図１から図１０を参照して説明する。図１０は、回転電機たる当該駆動電動機１を搭載した自動車の概略構成を示している。この図１０については、後述する。
【０００９】
図６に示すように、駆動電動機１の固定子２は、円環状をなす固定子鉄心３を備えている。この固定子鉄心３は、この場合、複数個例えば２４個の分割コア４を円環状に配置し、これら分割コア４の外周部に設けた図示しないリング部材を焼きばめすることによって円環状に構成される。各分割コア４は、図１に示すように複数枚の電磁鋼板を積層して構成されたもので、外周部側のヨーク部４ａと、このヨーク部４ａから径方向の中心側に向かって突出するティース４ｂを備えている。各分割コア４のティース４ｂに、ボビン５を介して三相（Ｕ相、Ｖ相、Ｗ相）の巻線６が巻装されている。巻線６は、三相（Ｕ相、Ｖ相、Ｗ相）を区別する場合には、Ｕ相巻線６ｕ、Ｖ相巻線６ｖ、Ｗ相巻線６ｗと称する。巻線６は、この場合、断面がほぼ長方形の平角銅線である。固定子鉄心３の軸方向（図６の上下方向）の一端部である上部には、バスリングユニット７が配置される。バスリングユニット７については後述する。
【００１０】
なお、詳しい図示は省略するが、駆動電動機１の回転子８（図６の二点鎖線参照）は、ほぼ円筒状をなす回転子鉄心と、この回転子鉄心を軸方向に貫く回転軸を備える。回転子８は、固定子２の界磁空間に、その外周面と固定子２の内周面との間に僅かなエアギャップを隔てて配置され、固定子２に対して回転可能とされる。
【００１１】
前記ボビン５は、電気絶縁材である例えば合成樹脂により形成されたものであり、各ティース４ｂの外周部に装着されている。各ボビン５は、この場合分割コア４の軸方向（電磁鋼板の積層方向）に２分割されている（図４および図５参照）。ボビン５において、２分割されたボビンを区別する場合、分割ボビン５ａ，５ｂと称する。各分割ボビン５ａ，５ｂは、ティース４ｂを跨ぐようにＵ字状をなしていて、ティース４ｂの外周部に軸方向から装着されている。
【００１２】
ボビン５には、巻線６を巻回するための巻線巻回部１０が形成されている。巻線巻回部１０は、ティース４ｂを囲む矩形筒状に形成されている（図４参照）。ボビン５には、巻線巻回部１０における径方向（ティース４ｂの突出方向）の両端部に位置させて側方へ張り出す張出し部１１が設けられている。この張出し部１１は、巻線巻回部１０に巻回された巻線６が当該巻線巻回部１０の外側へはみ出ることを規制している。巻線巻回部１０に巻回される巻線６は、図１および図２においてヨーク部４ａ側から見て時計回り方向に巻回されている。
【００１３】
２個の分割ボビン５ａ，５ｂのうち、図１中、上側に位置する分割ボビン５ａのヨーク部４ａ側の上部には他の張出し部１１とは構成が異なる仕切部１２が設けられている。この仕切部１２に、図２および図３にも示すように、巻き始め端部導出部１３、巻き始め端部保持部１４、巻き終わり端部導出部１５、巻き終わり端部保持部１６、係合部１７、ガイド壁１８などが形成されている。
【００１４】
このうち、巻き始め端部導出部１３は、巻線巻回部１０の底面付近において当該巻線巻回部１０の内外を径方向に連通させる切欠き部によって形成されている。この巻き始め端部導出部１３は、巻線巻回部１０に巻回される巻線６の巻き始め端部６ａを巻線巻回部１０から径方向の外側へ導出するためのものであり、分割コア４の周方向のほぼ中央部に位置している。巻き始め端部導出部１３付近には、当該巻き始め端部導出部１３に上方から連通する開口部２０が形成されている。巻線６の巻き始め端部６ａを巻き始め端部導出部１３に通す際に、その開口部２０を利用することで、巻き始め端部６ａを巻き始め端部導出部１３に上方から容易に通すことができる。
【００１５】
巻き始め端部保持部１４は、ヨーク部４ａ側から見て巻き始め端部導出部１３の左側に位置して、軸方向（図１および図２の上下方向）に延びる凹状の溝部によって形成されている。この巻き始め端部保持部１４は、軸方向の一端部である、図１および図２の上方から見て、図３（ａ）に示すように、径方向の外側となる一端部に開口部を有する凹状に形成されている。巻線６の巻き始め端部６ａをこの巻き始め端部保持部１４に挿入して保持させることで、巻き始め端部６ａは、軸方向に立ち上がった状態で保持される。巻き始め端部保持部１４には、開口部側の端部に抜け止め用の凸部１４ａが設けられている。この凸部１４ａは、巻き始め端部保持部１４に挿入された巻き始め端部６ａが当該巻き始め端部保持部１４から外側へ外れることを防止する。
【００１６】
巻き終わり端部導出部１５は、ヨーク部４ａ側から見て巻き始め端部導出部１３の右側上部に位置して、巻線巻回部１０の内外を径方向に連通させる切欠き部によって形成されている。巻き終わり端部導出部１５の周方向の一端部は開口していて、巻線６の巻き終わり端部６ｂが、その巻き終わり端部導出部１５を通して巻線巻回部１０から径方向の外側へ導出されている。巻き終わり端部導出部１５は、巻線巻回部１０に巻回された巻線６の最外周部の近傍に位置している。したがって、前記巻き始め端部導出部１３と巻き終わり端部導出部１５の位置は、巻線巻回部１０に巻回された巻線６の巻き厚方向（図３（ｂ）の上下方向）にずれている。
【００１７】
巻き終わり端部保持部１６は、巻き終わり端部導出部１５の外側上部に位置して、上下方向に開通した凹状の溝部によって形成されている。この巻き終わり端部保持部１６は、軸方向の一端部である、図１および図２の上方から見て、図３（ｂ）に示すように、周方向の一端部に開口部を有する凹状に形成されている。巻線６の巻き終わり端部６ｂをこの巻き終わり端部保持部１６に挿入して保持させることで、巻き終わり端部６ｂは、巻き始め端部６ａと同様に、軸方向に立ち上がった状態で保持される。巻き終わり端部保持部１６にも、前記巻き始め端部保持部１４と同様に、開口部側の端部に抜け止め用の凸部１６ａが設けられている。この凸部１６ａは、巻き終わり端部保持部１６に挿入された巻き終わり端部６ｂが当該巻き終わり端部保持部１６から外側へ外れることを防止する。
【００１８】
係合部１７は、前記仕切部１２において、ヨーク部４ａ側から見て前記巻き始め端部保持部１４の左側に位置させて、台状の受け部２１上に設けられている。この係合部１７は、縦片部と横片部を有したＬ字状をなしていて、その縦片部の下端部が受け部２１に一体化されている。この係合部１７の横方向へ延びる横片部の先端部と受け部２１の上面との間に、周方向の一端部である巻き始め端部保持部１４側が開口した開口部１７ａが形成されている。係合部１７は弾性変形が可能であり、開口部１７ａ側の先端部に、斜面を有する爪部１７ｂが形成されている。この係合部１７は、後述するバスリングユニット７を固定子鉄心３の軸方向の一端部に取り付ける際の取付手段の一部を構成する。受け部２１の上面は、巻線巻回部１０に巻回された巻線６の最外周部よりも少し高くなるように設定されている。
【００１９】
ガイド壁１８は、受け部２１にあって係合部１７よりヨーク部４ａ側に位置させて、係合部１７に沿うように設けられている。
ここで、分割コア４のティース４ｂに巻線６を巻回する際の巻回方法について説明する。まず、ティース４ｂの外周部に、分割ボビン５ａ，５ｂを装着しておく。そして、巻線６の巻き始め端部６ａを開口部２０を通して巻き始め端部導出部１３に挿入し、その巻き始め端部６ａを巻線巻回部１０より外側で固定した状態で、巻線巻回部１０に巻線６を巻回する。巻線６の巻回方向は、ヨーク部４ａ側から見て時計回り方向である。巻線６を巻線巻回部１０に所定回数巻回したら、巻き終わり端部６ｂを、巻き終わり端部導出部１５を通して巻線巻回部１０より外側へ導出させるとともに、巻き終わり端部保持部１６に挿入することで、巻き終わり端部６ｂを固定子鉄心３の軸方向である上方に向けた状態に保持させておく。また、前記巻き始め端部６ａも、巻き始め端部保持部１４に挿入することで、固定子鉄心３の軸方向である上方に向けた状態に保持させておく。
【００２０】
このようにして各分割コア４のティース４ｂにボビン５を介して巻線６を巻回し、この後、これら巻線６を備えた分割コア４を、図６に示すように円環状に配置し、図示しないリング部材を用いて固定子鉄心３となるように連結固定した状態とする。
【００２１】
次に、バスリングユニット７の構成について図６および図７を参照して説明する。バスリングユニット７は、それぞれリング状をなすＵ相バスリング２３ｕ、Ｖ相バスリング２３ｖ、Ｗ相バスリング２３ｗ、中性点バスリング２４と、これら４個のバスリング２３ｕ〜２３ｗ，２４を保持する複数個のバスリングホルダ２５を備えている。
【００２２】
バスリングホルダ２５は、前記分割コア４と同数である２４個が等間隔で配置されている。各バスリングホルダ２５は、同じ形状のもので、電気絶縁材である合成樹脂により形成されている。このバスリングホルダ２５は、仕切部２５ａの外周部側に上下３段の第１の保持部２５ｂを有し、仕切部２５ａの裏側となる内周部側に一つの第２の保持部２５ｃを有している。第１の保持部２５ｂは、上下３段の棚状をなしていて、それぞれ外周部側と周方向の両側が開口している。上下３段の第１の保持部２５ｂには、下から順にＵ相バスリング２３ｕと、Ｖ相バスリング２３ｖと、Ｗ相バスリング２３ｗが挿入保持されている。第２の保持部２５ｃは、上面側と周方向の両側が開口したＵ字状をなしている。この第２の保持部２５ｃには、中性点バスリング２４（図６参照）が挿入保持されている。
【００２３】
Ｕ相、Ｖ相、Ｗ相の各バスリング２３ｕ，２３ｖ，２３ｗには、径方向の外側へ向けて突出する第１の接続部２６が８個ずつ設けられている。また、中性点バスリング２４には、第２の接続部２７が２４個設けられている。各第２の接続部２７は、対応するバスリングホルダ２５を乗り越えて径方向の外側へ向けて突出している。
【００２４】
各バスリングホルダ２５には、最下段の第１の保持部２５ｂの下方に位置させて係合凸部２８が一体に設けられている。この係合凸部２８は、径方向の外側へ向けて突出していて、その先端部２８ａは、上方から見て円弧状をなす曲面に形成されている。この係合凸部２８は、前記ボビン５の係合部１７とともに、バスリングユニット７を固定子２に取り付ける際の取付手段を構成する。
【００２５】
ここで、固定子２に対するバスリングユニット７の取付方法と、巻線６とバスリング２３ｕ〜２３ｗ，２４の結線方法について、図７から図９も参照して説明する。まず、固定子２に対してバスリングユニット７を取り付けるには、図６および図７に示すように、バスリングユニット７を、固定子鉄心３の軸方向の上方に配置する。次に、図８に示すように、バスリングユニット７を固定子鉄心３側に近づけ、各バスリングホルダ２５における係合凸部２８の下面をボビン８における受け部２１の上面に接触させるとともに、係合凸部２８をボビン８における係合部１７の開口部１７ａに周方向から臨ませる。このとき、係合凸部２８の先端部２８ａを、ガイド壁１８の内面に接触させる。
【００２６】
次に、バスリングユニット７を、図８の矢印Ａ方向へ回転させる。これに伴い、係合凸部２８の先端部２８ａがガイド壁１８の内面を摺動するとともに、係合凸部２８が係合部１７の爪部１７ｂの斜面を押して当該係合部１７を弾性変形させながら係合部１７内に侵入する。そして、係合凸部２８が爪部１７ｂを通過することに伴い係合部１７が元の状態に戻り、係合凸部２８が係合部１７の縦片部に当接することで、バスリングユニット７のそれ以上の回転が阻止され、バスリングユニット７は係合完了位置に位置される（図９参照）。この係合完了位置で係合凸部２８が係合部１７に抜け止め状態に係合され、バスリングユニット７を固定子２の軸方向の一端部に抜け止め状態に取り付けられた状態となる。
【００２７】
このとき、バスリングユニット７におけるＵ相、Ｖ相、Ｗ相の各バスリング２３ｕ，２３ｖ，２３ｗの第１の接続部２６が、対応するＵ相、Ｖ相、Ｗ相の各巻線６ｕ，６ｖ，６ｗの巻き始め端部６ａに周方向から接触する接続位置に達するとともに、中性点バスリング２４の第２の接続部２７が、Ｕ相、Ｖ相、Ｗ相の各巻線６ｕ，６ｖ，６ｗの巻き終わり端部６ｂに周方向から接触する接続位置に達する。この場合、巻き始め端部６ａおよび巻き終わり端部６ｂは軸方向（上下方向）に向いていて、第１の接続部２６および第２の接続部２７は径方向外側に向いているから、巻き始め端部６ａと第１の接続部２６、ならびに巻き終わり端部６ｂと第２の接続部２７は、それぞれ十字状に交差する状態で接触するようになる。
【００２８】
この状態で、各バスリング２３ｕ，２３ｖ，２３ｗの第１の接続部２６と、対応する各巻線６ｕ，６ｖ，６ｗの巻き始め端部６ａとを電気的に接続するとともに、中性点バスリング２４の第２の接続部２７と、対応する各巻線６ｕ，６ｖ，６ｗの巻き終わり端部６ｂとを電気的に接続する。これらの電気的な接続は、例えばＴＩＧ溶接により行う。これにより、Ｕ相、Ｖ相、Ｗ相の各巻線６ｕ，６ｖ，６ｗは、Ｕ相、Ｖ相、Ｗ相の各バスリング２３ｕ，２３ｖ，２３ｗと中性点バスリング２４を用いてスター結線される。
【００２９】
上記したように、固定子２にバスリングユニット７を取り付けるとともに、各巻線６とバスリング２３ｕ，２３ｖ，２３ｗ，２４の結線をした状態で、バスリングユニット７を含む固定子２全体を、図示しない合成樹脂によりモールドすることで、固定子２が製造される。
【００３０】
図１０は、上記の駆動電動機１を走行駆動用として、当該電動機１を駆動するシステムを搭載した電気自動車の構成を概略的に示す機能ブロック図である。１００は自動車のシャーシ（車体）であり、組電池パック２００内には、図示しない組電池が単数あるいは複数組み込まれている。この電池パック２００のプラス、マイナス電極は、インバータ装置を含み電圧を変換すると共に、運転指令を受けて出力電流・電圧のレベル制御及び位相制御などを行う電圧変換及び運転制御部３００に接続されている。電圧変換及び運転制御部３００の出力は、駆動電動機１に駆動電力として供給される。
【００３１】
前記車体１００には、左右の駆動輪たる車輪ＷＲ，ＷＬが取り付けられている。車輪ＷＲ，ＷＬは、駆動電動機１が出力する駆動力により駆動可能に構成されており、駆動電動機１の回転は、例えば差動ギアユニットを介して、車輪ＷＲ，ＷＬに伝達される。電池管理基板４００は、組電池の状態を管理すると共に通信を行うための回路（制御部、通信インターフェース、記憶部などを含む）が搭載されている。
【００３２】
上記した実施形態によれば、次のような作用効果を得ることができる。
固定子鉄心３を構成する分割コア４のティース４ｂに装着されたボビン５の巻線巻回部１０に巻回される巻線６の巻き始め端部６ａを、ボビン５に設けられた巻き始め端部導出部１３を通して巻線巻回部１０より径方向の外側へ導出させておくことで、巻き始め端部６ａの位置を所定位置に固定することができ、巻線６を巻線巻回部１０に巻き易くできる。また、巻線６を巻線巻回部１０に所定回数巻回した後、巻き終わり端部６ｂを、ボビン５に設けられた巻き終わり端部導出部１５を通して巻線巻回部１０より径方向の外側へ導出させるとともに、巻き終わり端部保持部１６に挿入することで、巻き終わり端部６ｂを固定子鉄心３の軸方向である上方に向けた状態に保持させておく。さらに、前記巻き始め端部６ａも、巻き始め端部保持部１４に挿入することで、固定子鉄心３の軸方向である上方に向けた状態に保持させておく。これにより、巻線６の巻き始め端部６ａおよび巻き終わり端部６ｂを所定の位置に保持しておくことができ、巻線６のほどけを防止でき、組立作業性を向上でき、さらには、巻き始め端部６ａとバスリングユニット７における各バスリング２３ｕ，２３ｖ，２３ｗの第１の接続部２６との結線、および巻き終わり端部６ｂと中性点バスリング２４の第２の接続部２７との結線作業性を向上できる。
【００３３】
巻き始め端部保持部１４および巻き終わり端部保持部１６は、固定子鉄心３の軸方向から見て一端部に開口部を有する凹状をなしていて、それぞれの開口部側の端部に抜け止め用の凸部１４ａ，１６ａを有している。この結果、巻き始め端部保持部１４に保持された巻き始め端部６ａを、当該巻き始め端部保持部１４から一層外れ難くできるとともに、巻き終わり端部保持部１６に保持された巻き終わり端部６ｂを、当該巻き終わり端部保持部１６から一層外れ難くできる。
【００３４】
巻き始め端部導出部１３は巻線巻回部１０の底面近傍に位置し、巻き終わり端部導出部１５は巻線巻回部１０に巻回された巻線６の最外周部近傍に位置していて、巻き始め端部導出部１３と巻き終わり端部導出部１５の位置は、巻線巻回部１０に巻回された巻線６の巻き厚方向にずれている。これにより、巻き始め端部６ａは、巻き始めに適した位置に導出することができるとともに、巻き終わり端部６ｂは、巻き終わりに適した位置に導出することができる利点がある。
【００３５】
また、巻き終わり端部導出部１５は、巻き始め端部導出部１３よりも巻線６の巻き方向に所定寸法ずれているので、そのずれている分、巻線６の巻回数より多くでき、巻線６の巻回数を確実に確保することが可能となる。
【００３６】
複数のバスリング２３ｕ，２３ｖ，２３ｗ，２４と、これら複数のバスリングを保持するバスリングホルダ２５を有してユニット化され、固定子鉄心３の軸方向の一端部側に配置されるバスリングユニット７を備え、バスリングホルダ２５と前記ボビン５には、バスリングユニット７を周方向に回転させることで当該バスリングユニット７を固定子鉄心３の軸方向の一端部に取り付ける取付手段を備える。これによれば、バスリングユニット７を固定子鉄心３に良好に取り付けることができる。
【００３７】
取付手段としては、具体的には、ボビン５に設けられ周方向の一端部に開口部１７ａを有する弾性変形可能な係合部１７と、バスリングホルダ２５に設けられた係合凸部２８と、を備え、係合凸部２８を係合部１７の開口部１７ａに臨ませた状態でバスリングユニット７を周方向に回転させることで、係合凸部２８が開口部１７ａから係合部１７に侵入して係合する。これにより、バスリングユニット７を固定子鉄心３に良好に、しかも確実に取り付けることができる。係合部１７には爪部１７ｂが設けられているから、係合凸部２８が係合した状態で当該係合凸部２８の周方向への動きを規制でき、ひいてはバスリングユニット７の移動を規制することができる。
【００３８】
ボビン５には、バスリングユニット７を周方向に回転させる際に係合凸部２８の先端部２８ａの移動をガイドするガイド壁１８があることにより、バスリングユニット７の回転操作がし易くなり、取付作業性を向上できる。また、係合凸部２８にあってガイド壁１８に沿って摺動する先端部２８ａは曲面に形成されているので、係合凸部２８の移動を滑らかにでき、取付作業性を一層向上できる。
【００３９】
係合部１７に対する係合凸部２８の係合完了位置で、バスリングユニット７における第１の接続部２６が巻線６の巻き始め端部６ａに接続する接続位置に達するとともに、第２の接続部２７が巻線６の巻き終わり端部６ｂに接続する接続位置に達する。これにより、第１の接続部２６と巻き始め端部６ａの結線作業、および第２の接続部２７と巻き終わり端部６ｂの結線作業を容易に行うことができる。
【００４０】
（その他の実施形態）
巻線６としては、断面がほぼ長方形の平角銅線に限られず、断面が円形の銅線でもよい。
ボビン５において、巻き始め端部導出部１３に連通する開口部２０は、必ずしも必要なものではなく、必要に応じて設ければよい。また、巻き終わり端部導出部１５は、一端部が開口したものに限られず、周囲が囲まれた形状のものでもよい。
【００４１】
以上説明したように本実施形態によれば、巻線が巻回されるボビンに、巻き始め端部導出部と、巻き線端部保持部と、巻き終わり端部導出部と、巻き終わり端部保持部を備えた構成としたことにより、ボビンに巻回される巻線の巻き始め端部および巻き終わり端部を所定の位置に保持できて、巻線のほどけを防止でき、組立作業性や結線作業性の向上を図ることができる。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
図面中、１は駆動電動機（回転電機）、２は固定子、３は固定子鉄心、４は分割コア、４ａはヨーク部、４ｂはティース、５はボビン、５ａ，５ｂは分割ボビン、６は巻線、６ａは巻き始め端部、６ｂは巻き終わり端部、７はバスリングユニット、８は回転子、１０は巻線巻回部、１１は張出し部、１２は仕切部、１３は巻き始め端部導出部、１４は巻き始め端部保持部、１４ａは凸部、１５は巻き終わり端部導出部、１６は巻き終わり端部保持部、１６ａは凸部、１７は係合部（取付手段）、１７ａは開口部、１７ｂは爪部、１８はガイド壁、２１は受け部、２３ｕはＵ相バスリング、２３ｖはＶ相バスリング、２３ｗはＷ相バスリング、２４は中性点バスリング、２５はバスリングホルダ、２６は第１の接続部、２７は第２の接続部、２８は係合凸部（取付手段）、２８ａは先端部を示す。
【図１】
2016072997.tif 000003
【図２】
2016072997.tif 000004
【図３】
2016072997.tif 000005
【図４】
2016072997.tif 000006
【図５】
2016072997.tif 000007
【図６】
2016072997.tif 000008
【図７】
2016072997.tif 000009
【図８】
2016072997.tif 000010
【図９】
2016072997.tif 000011
【図１０】
2016072997.tif 000012